(57)【要約】【課題】省スペースかつ低コストで設置することができる中継減圧ユニットを提供すること。【解決手段】中継減圧ユニット１００は、本管ＤＰの上流に接続される上流側配管１と、前記本管ＤＰの前記上流側配管１よりも下流に接続される下流側配管２と、前記上流側配管１と前記下流側配管２とを接続する接続配管３と、前記接続配管３の途中に設けられた減圧弁４ａ、４ｂと、を備える。中継減圧ユニット１００において、前記接続配管は、並列接続された２つ以上の並列配管部３a、３ｂを有していてもよい。【選択図】図１
2020190196.tif 000002
【特許請求の範囲】
【請求項１】
本管の上流側に接続される上流側配管と、
前記上流側配管に対して前記本管の下流側に接続される下流側配管と、
地面に対して略水平に設けられ、前記上流側配管と前記下流側配管とを接続する接続配管と、
前記接続配管の途中に設けられた減圧弁と、
を備えることを特徴とする中継減圧ユニット。
【請求項２】
前記接続配管の途中に設けられた空気弁を備えることを特徴とする請求項１に記載の中継減圧ユニット。
【請求項３】
前記減圧弁を１または２以上備え、
前記接続配管は、並列接続された２つ以上の並列配管部を有しており、
前記減圧弁が各並列配管部のそれぞれの途中に設けられており、
各減圧弁を挟むように設けられた流量調整弁を備えることを特徴とする請求項１または２に記載の中継減圧ユニット。
【請求項４】
前記接続配管の少なくとも一部、および前記減圧弁を収容する筐体を備えることを特徴とする請求項１〜３のいずれか一つに記載の中継減圧ユニット。
【請求項５】
前記筐体は地上又は地下に設置されることを特徴とする請求項４に記載の中継減圧ユニット。
【請求項６】
前記接続配管の途中に設けられた分岐管と、
前記分岐管の途中に設けられた開閉弁と、
を備えることを特徴とする請求項１〜５のいずれか一つに記載の中継減圧ユニット。
【請求項７】
前記上流側配管および前記下流側配管をそれぞれ前記本管に接続するためのストッパーバルブを備えることを特徴とする請求項１〜６のいずれか一つに記載の中継減圧ユニット。
【請求項８】
前記減圧弁を１つ備えており、
当該中継減圧ユニットの点検交換時に別の減圧弁を取り付け可能に構成されており、
前記減圧弁および取り付けた前記別の減圧弁には、前記本管の圧の全圧が掛からないことを特徴とする請求項１〜７のいずれか一つに記載の中継減圧ユニット。
【請求項９】
前記減圧弁を２つ備えており、
２つの前記減圧弁の一方の点検時に、２つの前記減圧弁の他方に前記本管の圧の全圧が掛からないことを特徴とする請求項１〜７のいずれか一つに記載の中継減圧ユニット。
【請求項１０】
前記減圧弁を１つ備えており、
前記減圧弁の点検時に別の減圧弁を取り付け可能なスペースを有しており、
前記減圧弁および取り付けた前記別の減圧弁には、前記本管の圧の全圧が掛からないことを特徴とする請求項１〜７のいずれか一つに記載の中継減圧ユニット。
【請求項１１】
前記接続配管は、並列接続された２つ以上の並列配管部を有しており、
或る並列配管部の途中に設けられた減圧弁の上流側と下流側とを接続する他の並列配管部を有することを特徴とする請求項１〜７のいずれか一つに記載の中継減圧ユニット。 
【発明の詳細な説明】
【技術分野】
【０００１】
本発明は、主に上水道設備において用いられる中継減圧ユニットに関する。
【背景技術】
【０００２】
上水道設備においては、地下に埋設された配水本管により、浄水池や調整池などの配水池に貯留された水が、ポンプにより所定の水圧で圧送される。配水本管は複数の給水エリアに水を供給するように配設されている（例えば、特許文献１、２）。
【０００３】
配水池と給水エリアとの間に高低差が大きい等の場合に、配水本管内の水圧が高くなりすぎる場合がある。このような場合は、水を一旦水槽に貯留し、水圧を解放してから改めて配水する場合がある。このような水槽は減圧水槽と呼ばれている。
【先行技術文献】
【特許文献】
【０００４】
【特許文献１】実用新案登録第３２０８２８２号公報
【特許文献２】実用新案登録第３２１３９９６号公報
【発明の概要】
【発明が解決しようとする課題】
【０００５】
しかしながら、従来の減圧水槽では、水圧を解放する際に水が空気に接触するので、水中の残留塩素の低下等の水質の悪化が生じる場合がある。このよう場合、悪化した水質を回復させるために、追い塩素装置などの追加の設備が必要となる。また、給水エリアが広いなど、配水すべき水量が多い場合には、大容量の減圧水槽が必要になることがある。この場合、減圧水槽を設置するための広い施設スペースが必要とるので、用地の確保や建設コストが大幅にかかるという問題がある。
【０００６】
本発明は、上記に鑑みてなされたものであって、減圧の際の水質の悪化を防止できるとともに、省スペースかつ低コストで設置することができる中継減圧ユニットを提供することを目的とする。
【課題を解決するための手段】
【０００７】
上述した課題を解決し、目的を達成するために、本発明の一態様に係る中継減圧ユニットは、配水本管の上流側に接続される上流側配管と、前記上流側配管に対して前記配水本管の下流側に接続される下流側配管と、地面に対して略水平に設けられ、前記上流側配管と前記下流側配管とを接続する接続配管と、前記接続配管の途中に設けられた減圧弁と、前記接続配管の途中に設けられた空気弁と、を備えることを特徴とする。
【０００８】
本発明の一態様に係る中継減圧ユニットは、前記減圧弁を１または２以上備え、前記接続配管は、並列接続された２つ以上の並列配管部を有しており、前記減圧弁が各並列配管部のそれぞれの途中に設けられており、各減圧弁を挟むように設けられた流量調整弁を備えることを特徴とする。
【０００９】
本発明の一態様に係る中継減圧ユニットは、前記接続配管の少なくとも一部、前記減圧弁、および前記空気弁を収容する筐体を備えることを特徴とする。
【００１０】
本発明の一態様に係る中継減圧ユニットは、前記筐体は地上又は地下に設置されることを特徴とする。
【００１１】
本発明の一態様に係る中継減圧ユニットは、前記接続配管の途中に設けられた分岐管と、前記分岐管の途中に設けられた開閉弁と、を備えることを特徴とする。
【００１２】
本発明の一態様に係る中継減圧ユニットは、前記上流側配管および前記下流側配管をそれぞれ前記配水本管に接続するためのストッパーバルブを備えることを特徴とする。
【００１３】
本発明の一態様に係る中継減圧ユニットは、前記減圧弁を１つ備えており、当該中継減圧ユニットの点検交換時に別の減圧弁を取り付け可能に構成されており、前記減圧弁および取り付けた前記別の減圧弁には、前記配水本管の水圧の全圧が掛からないことを特徴とする。
【００１４】
本発明の一態様に係る中継減圧ユニットは、前記減圧弁を２つ備えており、２つの前記減圧弁の一方の点検時に、２つの前記減圧弁の他方に前記配水本管の水圧の全圧が掛からないことを特徴とする。
【００１５】
本発明の一態様に係る中継減圧ユニットは、前記減圧弁を１つ備えており、前記減圧弁の点検時に別の減圧弁を取り付け可能なスペースを有しており、前記減圧弁および取り付けた前記別の減圧弁には、前記配水本管の水圧の全圧が掛からないことを特徴とする。
【発明の効果】
【００１６】
本発明によれば、減圧の際の水質の悪化を防止できるとともに、省スペースかつ低コストで設置することができる中継減圧ユニットを実現できるという効果を奏する。
【図面の簡単な説明】
【００１７】
【図１】図１は、本発明の実施形態１に係る中継減圧ユニットの模式的な上面図である。
【図２】図２は、本発明の実施形態２に係る中継減圧ユニットの模式的な構成図である。
【発明を実施するための形態】
【００１８】
以下に、図面を参照して本発明に係る中継減圧ユニットの実施形態を詳細に説明する。なお、この実施形態によりこの発明が限定されるものではない。また、各図面において、同一または対応する要素には適宜同一の符号を付している。
【００１９】
（実施形態１）
図１は、本発明の実施形態１に係る中継減圧ユニットの模式的な上面図である。中継減圧ユニット１００は、上流側配管１と、下流側配管２と、接続配管３と、減圧弁４ａ、４ｂと、空気弁５と、を備えている。上流側配管１、下流側配管２、接続配管３は、エルボやフランジ等により連結された複数の管材で構成されている。
【００２０】
配水本管ＤＰは、地下に埋設されており、浄水池や調整池などの配水池から上水の配水を行うための配管である。配水本管ＤＰには、ストッパーバルブ６ａが取り付けられている。ストッパーバルブ６ａには分岐管７ａの一端が接続されている。分岐管７ａの分岐部は、可とう管８ａを介して上流側配管１の一端に接続されている。これにより、上流側配管１は、ストッパーバルブ６ａを介して配水本管ＤＰの上流側に接続される。
【００２１】
ここで、ストッパーバルブ６ａは、既設の配水本管ＤＰを流れる水を断水すること無く取り付けることができ、配水本管ＤＰに分岐管を設けることができる公知のバルブであり、いわゆる不断水分岐工法を実現できるものである。
【００２２】
また、配水本管ＤＰのストッパーバルブ６ａよりも下流側には、ストッパーバルブ６ｂが取り付けられている。ストッパーバルブ６ｂには分岐管７ｂの一端が接続されている。分岐管７ｂの分岐部は、可とう管８ｂを介して下流側配管２の一端に接続されている。これにより、下流側配管２は、ストッパーバルブ６ｂを介して、上流側配管１に対して配水本管ＤＰの下流側に接続される。なお、分岐管７ａの他端と分岐管７ｂの他端とは、流量調整弁の一例であるバタフライ弁９を介して接続されている。分岐管７ａ、７ｂはフランジ等により連結された複数の管材で構成されている。
【００２３】
接続配管３は、地面に対して略水平に設けられ、上流側配管１と下流側配管２とを接続するものである。接続配管３は、並列接続された２つの並列配管部３ａ、３ｂを有している。すなわち、接続配管３は、上流側配管１に接続された一端側から、２つの並列配管部３ａ、３ｂに分岐し、２つの並列配管部３ａ、３ｂが合流し、下流側配管２に接続された他端側に到るように構成されている。
【００２４】
減圧弁４ａは、並列配管部３ａの途中に設けられている。減圧弁４ｂは、並列配管部３ｂの途中に設けられている。また、並列配管部３ａの途中には、減圧弁４ａを挟むように設けられた流量調整弁の一例である２つのバタフライ弁１０ａ、１０ｂが設けられている。また、並列配管部３ｂの途中には、減圧弁４ｂを挟むように設けられた流量調整弁の一例である２つのバタフライ弁１０ｃ、１０ｄが設けられている。
【００２５】
空気弁５は、接続配管３において並列配管部３ａの途中であって、バタフライ弁１０ｂよりも下流側配管２側に設けられている。空気弁５は、接続配管３の並列配管部３ａ、３ｂ内の空気を抜くための弁である。
【００２６】
また、中継減圧ユニット１００は、接続配管３の少なくとも一部、減圧弁４ａ、４ｂ、空気弁５、およびバタフライ弁１０ａ〜１０ｄを収容する筐体１１を備えている。なお、筐体１１は上蓋を備えているが、図１では内部構造を説明するために、上蓋を取り外した状態を示している。筐体１１内で、減圧弁４ａ、４ｂは台座１２ａ、１２ｂにそれぞれ支持された状態で、筐体１１の底面に配設されている。
【００２７】
さらに、中継減圧ユニット１００は、接続配管３における並列配管部３ｂの途中に、分岐管１３を備えている。分岐管１３の途中には開閉弁の一例であるボール弁１４が設けられている。分岐管１３の先端部は、後述するようにホースが接続可能な形状に構成されており、たとえばホース用のカップリングにより構成されている。なお、ボール弁１４は通常は閉状態とされている。
【００２８】
上記各構成の寸法や特性について例示すると、配水本管ＤＰ、接続配管３、ストッパーバルブ６ａ、６ｂ、分岐管７ａ、７ｂ、可とう管８ａ、８ｂはいずれも直径が１００ｍｍ以上であり、たとえば１５０ｍｍである。バタフライ弁９、１０ａ〜１０ｃはいずれも呼び径が１００Ａ以上であり、たとえば１５０Ａである。空気弁５はたとえば呼び径が２５Ａである。ボール弁１４はたとえば呼び径が５０Ａである。減圧弁４ａ、４ｂは、たとえば減圧比が最大で１０：１程度に設定できるものである。減圧弁４ａ、４ｂは、たとえば水圧を１．９６ＭＰａ程度から０．２〜０．３ＭＰａ程度に減圧することができる。なお、減圧弁４ａ、４ｂに圧力計を設け、必要に応じて所望の水圧となるように減圧弁４ａ、４ｂの調整を行なうことが好ましい。
【００２９】
この中継減圧ユニット１００は、減圧弁４ａ、４ｂと、空気弁５とによって、配水本管ＤＰを圧送されてきた水の水圧を減圧することができるので、減圧水槽の代替品として利用することができる。また、中継減圧ユニット１００は、水圧を解放する際に水を空気に接触させなくてもよいので、水質の悪化を防止できる。さらに、中継減圧ユニット１００は、減圧水槽に比べて設置スペースを削減できるので、省スペースかつ低コストで設けることができる。特に、中継減圧ユニット１００は筐体１１によりユニット化されているので、さらなる設置スペースの削減を実現できる。
【００３０】
また、この中継減圧ユニット１００では、減圧弁４ａ、４ｂと空気弁５とが設けられた接続配管３が、地面に対して略水平に設けられているので、直径が１００ｍｍ以上のような太径の配水本管ＤＰに対応して大型化されて重量が増加した減圧弁４ａ、４ｂを安定した状態で横型設置することができる。さらに、減圧弁４ａ、４ｂは、台座１２ａ、１２ｂによってより安定的に支持される。
【００３１】
また、この中継減圧ユニット１００では、減圧弁４ａ、４ｂは、接続配管３において並列接続された並列配管部３ａ、３ｂの途中にそれぞれ設けられているので、配水本管ＤＰによる配水量が多くても、２つの減圧弁４ａ、４ｂによって水圧の全圧の負荷を分担して減圧することができる。その結果、配水量が多い場合でも設置スペースをコンパクトにできる。また、２つの減圧弁４ａ、４ｂの一方の点検時にも、他の減圧弁に全圧が掛からない。なお、減圧弁の点検時とは、減圧弁が所望の減圧を実現しているかを点検する作業時のことである。また、この中継減圧ユニット１００は、各減圧弁４ａ、４ｂを挟むようにバタフライ弁１０ａ〜１０ｄを備える。これにより、減圧弁４ａ、４ｂの一方、たとえば減圧弁４ａが故障し、交換が必要な場合には、バタフライ弁１０ａ、１０ｂを閉じることにより、中継減圧ユニット１００の動作を停止させることなく減圧弁４ａの交換を実施することができる。また、減圧弁４ａ、４ｂの一方、たとえば減圧弁４ｂのみを設け、他方の減圧弁４ａを取り付けずにその位置に単管を設けてもよい。このような単管は、減圧弁を追加で取り付け可能なスペースを提供する。
【００３２】
また、この中継減圧ユニット１００は、緊急災害時は、配水本管ＤＰ内に滞留した水を、ボール弁１４を開状態とすることで、分岐管１３から取り出すことができる。分岐管１３にホース（たとえば消防用ホースなど）の一端を接続し、他端を給水車や給水蛇口スタンドへ接続することにより、緊急災害時の給水車や給水蛇口スタンドへの給水を行うことができる。すなわち、中継減圧ユニット１００は、緊急給水ユニットとしても利用できる。
【００３３】
また、この中継減圧ユニット１００は、バタフライ弁９を開状態とし、バタフライ弁１０ａ〜１０ｄを閉状態とすることで、減圧を行わないようにもできる。この場合、配水本管ＤＰからストッパーバルブ６ａを介して分岐管７ａに流れた水は、減圧せずに分岐管７ｂ、ストッパーバルブ６ｂを介して配水本管ＤＰに戻る。
【００３４】
（実施形態２）
図２は、実施形態２に係る中継減圧ユニットの模式的な構成図である。この中継減圧ユニット１００Ａは、実施形態１の中継減圧ユニット１００と同様の構成を有するが、上流側配管１を上流側配管１Ａに置き換え、下流側配管２を不図示の下流側配管に置き換え、かつ筐体１１が地上に配設される点で異なる。
【００３５】
上蓋１１ａを有する筐体１１は基礎部１５の上に設置される。基礎部１５は、地面Ｇａに埋設され、基礎砕石を敷いた上に均しコンクリートを打設したものである。
【００３６】
上流側配管１Ａは、可とう管８ａから屈曲しながら筐体１１内に延びており、接続配管３と接続している。不図示の下流側配管も、図２では不図示の可とう管８ｂから屈曲しながら筐体１１内に延びており、接続配管３と接続している。
【００３７】
この中継減圧ユニット１００Ａは、実施形態１に係る中継減圧ユニット１００と同様の効果を奏するとともに、筐体１１が地上に配設されていることで、メンテナンス性が良い。ただし、本発明は、筐体１１が地上に配設される態様に限定されず、たとえば符号Ｇｂを地面として、筐体１１が地下に埋設されてもよい。
【００３８】
なお、上記実施形態では、減圧弁４ａ、４ｂが、接続配管３において並列に配管された２つの並列配管部３ａ、３ｂのそれぞれの途中に設けられているが、本発明はこれに限定されない。たとえば、２つの減圧弁が、２つの並列配管部の一方に直列に設けられてもよい。この場合、特許文献２の構成のように、もう一方の並列配管部を、上流側の減圧弁の上流側と下流側の減圧弁の上流側とを接続するバイパス管となるように構成することが好ましい。また、下流側の減圧弁は、特許文献２の構成における単管の位置に設けることが好ましい。
【００３９】
また、たとえば中継減圧ユニット１００において、減圧弁４ｂのみを設け、減圧弁４ａを取り付けずにその位置に単管を設けた場合に、中継減圧ユニット１００の点検交換時に、単管の代わりに別の減圧弁を取り付けてもよい。この場合、減圧弁４ｂおよび別の減圧弁には、配水本管ＤＰの水圧の全圧が掛からないので、全圧の負荷を２つの減圧弁で分担して、個々の減圧弁の負担を軽減することができる。なお、中継減圧ユニットの点検交換時とは、中継減圧ユニットが所望の減圧を実現しているかを点検する作業時、または中継減圧ユニットの構成部品を交換する作業時のことである。
【００４０】
なお、上記実施形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記実施形態に限定されるものではなく、様々な変更が可能である。
【符号の説明】
【００４１】
１、１Ａ  上流側配管
２  下流側配管
３  接続配管
３ａ、３ｂ  並列配管部
４ａ、４ｂ  減圧弁
５  空気弁
６ａ、６ｂ  ストッパーバルブ
７ａ、７ｂ、１３  分岐管
８ａ、８ｂ  可とう管
９、１０ａ、１０ｂ、１０ｃ、１０ｄ  バタフライ弁
１１  筐体
１１ａ  上蓋
１２ａ、１２ｂ  台座
１４  ボール弁
１５  基礎部
１００、１００Ａ  中継減圧ユニット
ＤＰ  配水本管
Ｇａ、Ｇｂ  地面
【図１】
2020190196.tif 000003
【図２】
2020190196.tif 000004
【手続補正書】
【提出日】令和2年8月26日(2020.8.26)
【手続補正１】
【補正対象書類名】明細書
【補正対象項目名】０００１
【補正方法】変更
【補正の内容】
【０００１】
本発明は、中継減圧ユニットに関する。
【手続補正２】
【補正対象書類名】明細書
【補正対象項目名】０００６
【補正方法】変更
【補正の内容】
【０００６】
本発明は、上記に鑑みてなされたものであって、省スペースかつ低コストで設置することができる中継減圧ユニットを提供することを目的とする。
【手続補正３】
【補正対象書類名】明細書
【補正対象項目名】００１６
【補正方法】変更
【補正の内容】
【００１６】
本発明によれば、省スペースかつ低コストで設置することができる中継減圧ユニットを実現できるという効果を奏する。
【手続補正４】
【補正対象書類名】明細書
【補正対象項目名】００２０
【補正方法】変更
【補正の内容】
【００２０】
配水本管ＤＰは、地下に埋設されており、浄水池や調整池などの配水池から上水の配水を行うための配管である。配水本管ＤＰには、バルブ６ａが取り付けられている。バルブ６ａには分岐管７ａの一端が接続されている。分岐管７ａの分岐部は、可とう管８ａを介して上流側配管１の一端に接続されている。これにより、上流側配管１は、バルブ６ａを介して配水本管ＤＰの上流側に接続される。
【手続補正５】
【補正対象書類名】明細書
【補正対象項目名】００２１
【補正方法】変更
【補正の内容】
【００２１】
ここで、バルブ６ａは、既設の配水本管ＤＰを流れる水を断水すること無く取り付けることができ、配水本管ＤＰに分岐管を設けることができる公知のバルブであり、いわゆる不断水分岐工法を実現できるものである。
【手続補正６】
【補正対象書類名】明細書
【補正対象項目名】００２２
【補正方法】変更
【補正の内容】
【００２２】
また、配水本管ＤＰのバルブ６ａよりも下流側には、バルブ６ｂが取り付けられている。バルブ６ｂには分岐管７ｂの一端が接続されている。分岐管７ｂの分岐部は、可とう管８ｂを介して下流側配管２の一端に接続されている。これにより、下流側配管２は、バルブ６ｂを介して、上流側配管１に対して配水本管ＤＰの下流側に接続される。なお、分岐管７ａの他端と分岐管７ｂの他端とは、流量調整弁の一例であるバタフライ弁９を介して接続されている。分岐管７ａ、７ｂはフランジ等により連結された複数の管材で構成されている。
【手続補正７】
【補正対象書類名】明細書
【補正対象項目名】００２８
【補正方法】変更
【補正の内容】
【００２８】
上記各構成の寸法や特性について例示すると、配水本管ＤＰ、接続配管３、バルブ６ａ、６ｂ、分岐管７ａ、７ｂ、可とう管８ａ、８ｂはいずれも直径が１００ｍｍ以上であり、たとえば１５０ｍｍである。バタフライ弁９、１０ａ〜１０ｃはいずれも呼び径が１００Ａ以上であり、たとえば１５０Ａである。空気弁５はたとえば呼び径が２５Ａである。ボール弁１４はたとえば呼び径が５０Ａである。減圧弁４ａ、４ｂは、たとえば減圧比が最大で１０：１程度に設定できるものである。減圧弁４ａ、４ｂは、たとえば水圧を１．９６ＭＰａ程度から０．２〜０．３ＭＰａ程度に減圧することができる。なお、減圧弁４ａ、４ｂに圧力計を設け、必要に応じて所望の水圧となるように減圧弁４ａ、４ｂの調整を行なうことが好ましい。
【手続補正８】
【補正対象書類名】明細書
【補正対象項目名】００３０
【補正方法】変更
【補正の内容】
【００３０】
また、この中継減圧ユニット１００では、減圧弁４ａ、４ｂと空気弁５とが設けられた接続配管３が、地面に対して略水平に設けられているので、太径の配水本管ＤＰに対応して大型化されて重量が増加した減圧弁４ａ、４ｂを安定した状態で横型設置することができる。さらに、減圧弁４ａ、４ｂは、台座１２ａ、１２ｂによってより安定的に支持される。
【手続補正９】
【補正対象書類名】明細書
【補正対象項目名】００３３
【補正方法】変更
【補正の内容】
【００３３】
また、この中継減圧ユニット１００は、バタフライ弁９を開状態とし、バタフライ弁１０ａ〜１０ｄを閉状態とすることで、減圧を行わないようにもできる。この場合、配水本管ＤＰからバルブ６ａを介して分岐管７ａに流れた水は、減圧せずに分岐管７ｂ、バルブ６ｂを介して配水本管ＤＰに戻る。
【手続補正１０】
【補正対象書類名】明細書
【補正対象項目名】００４１
【補正方法】変更
【補正の内容】
【００４１】
１、１Ａ  上流側配管
２  下流側配管
３  接続配管
３ａ、３ｂ  並列配管部
４ａ、４ｂ  減圧弁
５  空気弁
６ａ、６ｂ  バルブ
７ａ、７ｂ、１３  分岐管
８ａ、８ｂ  可とう管
９、１０ａ、１０ｂ、１０ｃ、１０ｄ  バタフライ弁
１１  筐体
１１ａ  上蓋
１２ａ、１２ｂ  台座
１４  ボール弁
１５  基礎部
１００、１００Ａ  中継減圧ユニット
ＤＰ  配水本管
Ｇａ、Ｇｂ  地面